【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
試料中の分析物濃度を決定するための方法であって：
試料から少なくとも２つの分析物応答性出力シグナルを生成させること；
試料から２つの分析物応答性出力シグナルを測定すること；
２つの分析物応答性出力シグナルから少なくとも２つの初期分析物濃度を決定すること；
２つの分析物応答性出力シグナルから第一の擬似参照濃度を決定し、第一の擬似参照濃度は、真の相対誤差の第一の代用になること；
少なくとも２つの第一のアンカーパラメーターは、第一の正規化された出力シグナル及び擬似参照シグナル値に応答して決定された第一のチャネルのシグナルベースのアンカーパラメーターであり、第一のシグナルアンカーパラメーター＝（ＮＲＯＳＶ１−ＮＲＰｓｅｕｄｏ）／ＮＲＰｓｅｕｄｏ、（式中、ＮＲＯＳＶ１は、第一の正規化された出力シグナル値であり、そして、ＮＲＰｓｅｕｄｏは、擬似参照シグナルである）であり、第一の擬似参照濃度に応答する少なくとも２つの第一のアンカーパラメーターを決定し、２つの第一のアンカーパラメーターは、システム誤差を補償すること；
少なくとも２つの第一の補償関係がＡｃｈ１＿ｃｏｍｐ＝Ａｃｈ１ｉｎｉｔｉａｌ／（１＋ＲＥＣｈ１）、（式中、Ｃｈ１は、チャネル１であり、Ａｃｈ１＿ｃｏｍｐは、チャネル１について決定されたアンカーパラメーター補償された分析物濃度であり、Ａｃｈ１ｉｎｉｔｉａｌは、チャネル１について決定された初期分析物濃度であり、ＲＥＣｈ１は、チャネル１について決定されるような補償関係である）であり、２つの第一のアンカーパラメーターを少なくとも２つの第一の補償関係に組み入れること；
２つの初期分析物濃度、２つの第一のアンカーパラメーター及び２つの第一の補償関係に応答する少なくとも２つの第一のアンカー補償された分析物濃度を決定すること；
２つの第一のアンカー補償された分析物濃度を平均化することによって第二の擬似参照濃度を決定し、第二の擬似参照濃度は、真の相対誤差の第二の代用になること；並びに
第二の擬似参照濃度を試料の最終補償された分析物濃度として報告すること
を含む方法。
【請求項２】
第二の擬似参照濃度に応答する少なくとも２つの第二のアンカーパラメーターを決定し、２つの第二のアンカーパラメーターは、システム誤差を補償すること；
２つの第二のアンカーパラメーターを少なくとも２つの第二の補償関係に組み入れること；
２つの初期分析物濃度、２つの第二のアンカーパラメーター及び２つの第二の補償関係に応答する少なくとも２つの第二のアンカー補償された分析物濃度を決定すること；
２つの第二のアンカー補償された分析物濃度を平均化することによって第三の擬似参照濃度を決定し、第三の擬似参照濃度は、真の相対誤差の第三の代用になること；並びに
第三の擬似参照濃度を試料の最終補償された分析物濃度として報告すること
をさらに含む、請求項１に記載の方法。
【請求項３】
第三の擬似参照濃度に応答する少なくとも２つの第三のアンカーパラメーターを決定し、２つの第三のアンカーパラメーターは、システム誤差を補償すること；
２つの第三のアンカーパラメーターを少なくとも２つの第三の補償関係に組み入れること；
２つの初期分析物濃度、２つの第三のアンカーパラメーター及び２つの第三の補償関係に応答する少なくとも２つの第三のアンカー補償された分析物濃度を決定すること；
２つの第三のアンカー補償された分析物濃度を平均化することによって第四の擬似参照濃度を決定し、第四の擬似参照濃度は、真の相対誤差の第四の代用になること；並びに
第四の擬似参照濃度を試料の最終補償された分析物濃度として報告すること
をさらに含む、請求項２に記載の方法。
【請求項４】
第一の擬似参照濃度を決定することが、２つの分析物応答性出力シグナルを平均化することを含む、請求項１〜３のいずれか一項に記載の方法。
【請求項５】
第一の擬似参照濃度を決定することが：
２つの分析物応答性出力シグナルを平均化すること；及び
２つの初期分析物応答性出力シグナルの平均化されたシグナルを第二の擬似参照濃度に変換すること
を含む、請求項１〜３のいずれか一項に記載の方法。
【請求項６】
少なくとも２つの第一のアンカーパラメーターが、少なくとも１つの濃度ベースのアンカーパラメーターを含む、請求項１〜３のいずれか一項に記載の方法。
【請求項７】
２つの初期分析物濃度の１つから第一の擬似参照濃度を減算し、第一の擬似参照濃度で割ることによって濃度ベースのアンカーパラメーターを決定することをさらに含む、請求項６に記載の方法。
【請求項８】
２つのアンカーパラメーターを決定することが：
第二の正規化された出力シグナル値及び擬似参照シグナルに応答する第二のチャネルのシグナルベースのアンカーパラメーターを決定すること
を含む、請求項１〜３のいずれか一項に記載の方法。
【請求項９】
第二のチャネルのシグナルベースのアンカーパラメーターが、第二のシグナルアンカーパラメーター＝（ＮＲＯＳＶ２−ＮＲＰｓｅｕｄｏ）／ＮＲＰｓｅｕｄｏ、（式中、ＮＲＯＳＶ２は、第二の正規化された出力シグナル値であり、ＮＲＰｓｅｕｄｏは、擬似参照シグナル値である）を含む、請求項８に記載の方法。
【請求項１０】
第一の分析物応答性出力シグナル及び正規化関係に応答する第一の正規化された出力シグナル値を決定すること、
第二の分析物応答性出力シグナル及び正規化関係に応答する第二の正規化された出力シグナル値を決定すること；並びに
擬似参照濃度及び正規化された参照相関に応答する擬似参照シグナルを決定すること
をさらに含む、請求項９に記載の方法。
【請求項１１】
２つの第一の補償関係が：
Ａｃｈ３＿ｃｏｍｐ＝Ａｃｈ３ｉｎｉｔｉａｌ／（１＋ＲＥＣｈ３）、（式中、Ｃｈ３は、チャネル３であり、Ａｃｈ３＿ｃｏｍｐは、チャネル３について決定されたアンカーパラメーター補償された分析物濃度であり、Ａｃｈ３ｉｎｉｔｉａｌは、チャネル３について決定された初期分析物濃度であり、そして、ＲＥＣｈ３は、チャネル３について決定されるような補償関係である）
をさらに含む、請求項１〜３のいずれか一項に記載の方法。
【請求項１２】
最終補償された分析物濃度が糖化ヘモグロビン及びグルコースの少なくとも１つを含み、試料が血液を含む、請求項１〜３のいずれか一項に記載の方法。
【請求項１３】
基部によって形成されたリザーバーに隣接する試料インターフェースを有する試験センサーであり、ここで、試料から少なくとも２つの分析物応答性出力シグナルを生成させることが可能である試験センサー；及び
センサーインターフェースに接続されたプロセッサーを有する測定装置であり、センサーインターフェースは、試料インターフェースとの電気通信を有し、そして、プロセッサーは、記憶媒体との電気通信を有する測定装置
を含む、試料中の分析物濃度を決定するためのバイオセンサーシステムであって； 
プロセッサーが、試料から少なくとも２つの分析物応答性出力シグナルを測定することが可能であり；
プロセッサーが、２つの分析物応答性出力シグナルから少なくとも２つの初期分析物濃度を決定することが可能であり；
プロセッサーが、２つの分析物応答性出力シグナルから第一の擬似参照濃度を決定することが可能であり、第一の擬似参照濃度は、真の相対誤差の第一の代用になる；
プロセッサーが、第一の擬似参照濃度に応答する少なくとも２つの第一のアンカーパラメーターを決定することが可能であり、２つの第一のアンカーパラメーターは、システム誤差を補償し、少なくとも２つの第一のアンカーパラメーターは、第一の正規化された出力シグナル及び擬似参照シグナル値に応答して決定された第一のチャネルのシグナルベースのアンカーパラメーターであり、第一のシグナルアンカーパラメーター＝（ＮＲＯＳＶ１−ＮＲＰｓｅｕｄｏ）／ＮＲＰｓｅｕｄｏ、（式中、ＮＲＯＳＶ１は、第一の正規化された出力シグナル値であり、そして、ＮＲＰｓｅｕｄｏは、擬似参照シグナルである）であり、；
プロセッサーが、２つの第一のアンカーパラメーターを少なくとも２つの第一の補償関係に組み入れることが可能であり、少なくとも２つの第一の補償関係がＡｃｈ１＿ｃｏｍｐ＝Ａｃｈ１ｉｎｉｔｉａｌ／（１＋ＲＥＣｈ１）、（式中、Ｃｈ１は、チャネル１であり、Ａｃｈ１＿ｃｏｍｐは、チャネル１について決定されたアンカーパラメーター補償された分析物濃度であり、Ａｃｈ１ｉｎｉｔｉａｌは、チャネル１について決定された初期分析物濃度であり、ＲＥＣｈ１は、チャネル１について決定されるような補償関係である）であり、；
プロセッサーが、２つの初期分析物濃度、２つの第一のアンカーパラメーター及び２つの第一の補償関係に応答する少なくとも２つの第一のアンカー補償された分析物濃度を決定することが可能であり；
プロセッサーが、２つの第一のアンカー補償された分析物濃度を平均化することによって第二の擬似参照濃度を決定することが可能であり、第二の擬似参照濃度は、真の相対誤差の第二の代用になる；そして
プロセッサーが、第二の擬似参照濃度を試料の最終補償された分析物濃度として報告することが可能である、バイオセンサーシステム。
【請求項１４】
プロセッサーが、最終補償された分析物補償を記憶媒体中に記憶することが可能である、請求項１３に記載のバイオセンサーシステム。